(57)【要約】      （修正有）【課題】流体の流量や流速を調整するオリフィスにおいて、小孔に詰まったゴミなどを簡単に取り除くことができるオリフィスを提供する。【解決手段】オリフィス１の小孔４の入口と出口が、オリフィス１の入口と出口に対して、ハンドル操作によって入れ替え可能となる構造とした。ゴミなどの堆積量が多い場合は、ハンドル５を回転させて、弁体を回転して小孔４の入口と出口が入れ替わり、ゴミなどが堆積した側が出口側となる。すると流水により堆積したゴミなどを排出することができる。【選択図】図１
2014185652.tif 000002
【特許請求の範囲】
【請求項１】
流体を流す配管に接続して、流量を調整する小孔を備えたオリフィスにおいて、
前記小孔を備えた弁体が、前記小孔の入口と出口を入れ替えるように回動可能であることを特徴としたオリフィス。
【請求項２】
前記弁体が前記オリフィスの流れ方向に対して平行に回動することを特徴とした請求項１に記載のオリフィス。
【請求項３】
前記弁体は、１８０°以上回動することを特徴とした請求項２に記載のオリフィス。
【請求項４】
前記弁体が前記流体を閉止可能であり、前記弁体を開閉するハンドルを備え、
前記ハンドルは、前記弁体が前記流体を閉止する位置で前記ハンドルを固定するハンドル固定部を有することを特徴とする請求項１乃至３に記載のオリフィス。
【発明の詳細な説明】
【技術分野】
【０００１】
本発明は、流体が流れる配管に設け、流量や流速を調整するオリフィスに関するものである。
【背景技術】
【０００２】
スプリンクラー消火設備の末端試験弁装置では、スプリンクラーヘッドと同等の放水性能を持つオリフィスを設け、スプリンクラー消火設備の動作確認試験時には、末端試験弁装置のオリフィスに流水させることで、実際のスプリンクラーヘッドを作動させることなくスプリンクラー消火設備の動作確認を行っている。
【先行技術文献】
【特許文献】
【０００３】
【特許文献１】特開２００３−２４５３７３号公報
【０００４】
このような末端試験弁装置は、スプリンクラー消火設備のスプリンクラーヘッドが取り付けられた配管の二次側に設けられ、末端試験弁を開放してスプリンクラー消火設備の動作確認試験を行う。（特許文献１参照）
【０００５】
一方、スプリンクラー消火設備の動作確認試験では、実際にスプリンクラー消火設備に流水を発生させるために配管内のゴミ、サビなどが流されてオリフィスの小孔が詰まることがあった。小孔が詰まると、所定の流水量が得られず、スプリンクラー消火設備が正常に働かなくなり、動作確認試験に支障がでる場合があった。
【発明の概要】
【発明が解決しようとする課題】
【０００６】
しかしながら、このような不具合が発生した場合、末端試験弁装置を取り付けた配管を分解清掃する必要があり、分解清掃には時間と手間がかかるという問題があった。
【０００７】
本発明は、これらの問題点を解消し、小孔に詰まったゴミを簡単に取り除くことができるオリフィスを提供することを目的とする。
【課題を解決するための手段】
【０００８】
本発明に係るオリフィスは、流体を流す配管に接続して、流量を調整する小孔を備えたオリフィスにおいて、前記小孔を備えた弁体が、前記小孔の入口と出口を入れ替えるように回動可能であることを特徴とするものである。
【０００９】
また、本発明に係る前記弁体が前記オリフィスの流れ方向に対して平行に回動することを特徴とするものである。
【００１０】
また、本発明に係る前記弁体は、１８０°以上回動することを特徴とするものである。
【発明の効果】
【００１１】
本発明のオリフィスは、小孔にゴミ等が詰まった場合には、弁体を回転させることによって、流体に対して小孔の向きを逆にすることができるので、流体の流れによって発生する力でゴミを二次側に排出することができる。
【図面の簡単な説明】
【００１２】
【図１】本発明の実施の形態に係るオリフィスの略断面図である。
【図２】本発明のオリフィスをスプリンクラー設備に使用した場合の略系統図である。
【発明を実施するための形態】
【００１３】
＜実施の形態＞
以下、本発明の実施の形態を図１を例に説明する。
図１は、本発明に係るオリフィスの略断面図である。
【００１４】
オリフィス１は、本体２、弁体３、小孔４、ハンドル５などにより構成されている。
【００１５】
本体２は、両端に配管との接続部２１（例えば管用テーパねじのめねじ）を備えている。
【００１６】
弁体３は、本体２の内部に流体の流れ方向に対して平行に１８０°回転可能に取り付けられ、中央には所定の孔径で小孔４が弁体３を貫通している。弁体３は回転可能範囲の０°と１８０°の位置にあるとき、小孔４がオリフィス１を流れる流体の流れ方向に対して平行になるように取り付けられており、小孔４以外の部分から流体がオリフィス１を通過しないように弁体３の周囲には本体２との隙間を埋める図示しないパッキンが備えられている。
【００１７】
ハンドル５は、弁体３を回転させる際に操作する略Ｌ型のハンドルで、ハンドル５の長手方向が小孔４の流れ方向に対応しており、弁体３が回転可能範囲の０°と１８０°の位置にあるとき、ハンドル５の長手方向がオリフィス１の流れ方向に対して平行になるように取り付けられている。
【００１８】
次に、オリフィス１をスプリンクラー消火設備１００の末端試験弁装置１０４のオリフィスに使用した場合について図２を例に説明する。スプリンクラー消火設備１００は、流水検知装置１０１，スプリンクラー配管１０２、スプリンクラーヘッド１０３、末端試験弁装置１０４により構成されている。  
【００１９】
流水検知装置１０１は、常時は閉止していて、火災の熱によりスプリンクラーヘッド１０３が作動し、スプリンクラー配管１０２内に流水が発生すると開放し、流水検知信号を発信する。
【００２０】
末端試験弁装置１０４は、オリフィス１、圧力計１０５、末端試験弁１０６により構成されており、オリフィス１の小孔４の口径はスプリンクラーヘッド１０３が１個作動した場合と同等の開口面積となっている。
【００２１】
末端試験弁装置１０４にはオリフィス１の一次側に常時閉の末端試験弁１０６が備えられており、末端試験弁１０６を開放するとスプリンクラー配管１０２内にスプリンクラーヘッド１０３が１個作動した場合と同様の流水が発生する。このとき、圧力計１０５により適正な圧力でオリフィス１より放水が行われているかを確認する。
【００２２】
次に、末端試験弁装置１０４を用いてスプリンクラー消火設備１００の作動試験を行う手順について説明する。
【００２３】
まず、オリフィス１は小孔４が流れ方向と平行になる位置に設定しておく。
【００２４】
末端試験弁１０６を開放して試験を開始すると、オリフィス１からスプリンクラー消火設備１００内の水が放出され、スプリンクラー配管２内に流水が発生し、流水検知装置１０１が開放するなど、スプリンクラー消火設備１００は火災時と同様の動作を行う。
【００２５】
このとき、スプリンクラー配管２内のゴミやサビなどが発生した流水によってオリフィス１まで運ばれ、小孔４に堆積すると、小孔４の開口面積が小さくなり流水量が所定量よりも少なくなる。ゴミなどの堆積量が多くなると、流水検知装置１０１が開放しないなど、正常な動作が行えず動作確認ができない状態となる。
【００２６】
ここで、ハンドル５を１８０°回転させて、弁体を１８０°回転させると、小孔４の入口と出口が入れ替わり、ゴミなどが堆積した側が出口側となる。すると、流水により堆積したゴミなどを排出することができ、動作確認試験を継続することができる。
【００２７】
なお、オリフィス１は、小孔４がオリフィス１の流れ方向に対して垂直になるようにした場合には、オリフィス１は閉鎖して、流体が流れない構造としてもよい。この場合、末端試験弁装置１０４の末端試験弁１０６を設けずにオリフィス１が末端試験弁１０６を兼用することができる。この場合、常時はオリフィス１は閉止しておく。
【００２８】
また、オリフィス１が閉鎖する位置でハンドル５を固定するハンドル固定部を備えるようにしておくと、閉鎖状態を確実に維持することができる。例えば、ハンドル５に貫通孔を設けておき、オリフィス１が閉鎖する位置にハンドル５を合わせたとき、この貫通孔を通したネジが固定できるネジ穴を本体２に設けておけば、ネジを締めることでオリフィス１を確実に閉止し、閉止状態を維持することができる。
【００２９】
また、ハンドル５は、ハンドル５の長手方向がオリフィス１の流れ方向に対して平行になるときに、小孔４が流れ方向に対して平行になるように設定しているが、これに限定するものではなく、例えば、小孔４がオリフィス１の流れ方向に対して垂直になるときにハンドル５の長手方向がオリフィス１の流れ方向に対して平行になるようにしてもよい。この場合、常時はハンドル５がオリフィス１の流れ方向に対して平行となり、ハンドル５が突出しない状態とすることができる。
【００３０】
また、本実施の形態では、水を流体とする末端試験弁装置１０４について記載したが、オリフィス１を使用する設備は、これに限定するものではなく、また、使用する流体も水に限定するものではなく、他の液体や気体に使用しても良い。
【００３１】
また、本実施の形態では、接続部２１は管用テーパねじのめねじとしたが、これに限定するものではなく、例えばフランジ構造となっていてもよい。
【００３２】
また、本実施の形態では、オリフィス１を通過する流体の流れ方向は、入口と出口が１８０°の位置関係となっていたが、これに限定するものではなく、例えば入口と出口が９０°の位置でもよく、この場合、弁体は入口と出口それぞれに対して４５°となる軸を中心に回転させる構造とする。
【符号の説明】
【００３３】
１  オリフィス、２  本体、３  弁体、４  小孔、５  ハンドル、２１  接続部、１００  スプリンクラー消火設備、１０１  流水検知装置、１０２  スプリンクラー配管、１０３  スプリンクラーヘッド、１０４  末端試験弁装置、１０５  圧力計、１０６  末端試験弁。
【図１】
2014185652.tif 000003
【図２】
2014185652.tif 000004